(57)【要約】【課題】  ヒータを確実に支持しつつ、ヒータが発熱によって膨張したとしても音が発生することを抑制できる技術を提供する。【解決手段】  支持具が、第１の一対の突出部と、第２の一対の突出部を備えており、前記第１の一対の突出部の一方の突出部が第１ヒータ部の外周面に接触している状態で、ヒータが膨張したとしても他方の突出部に対して前記第１ヒータ部が膨張可能なスペースが存在しており、前記第２の一対の突出部の一方の突出部が前記第１ヒータ部の外周面に接触している状態で、前記ヒータが膨張したとしても他方の突出部に対して第２ヒータ部が膨張可能なスペースが存在している。【選択図】  図４
2019002619.tif 000002
【特許請求の範囲】
【請求項１】
本体ケースと、
前記本体ケース内に配置されているヒータと、
前記本体ケース内で前記ヒータを支持する支持具を備えている暖房機であって、
前記ヒータが、第１方向に延びている第１ヒータ部と、前記第１方向に延びており前記第１方向に直交する第２方向において前記第１ヒータ部と並んでいる第２ヒータ部と、前記第１方向における前記第１ヒータ部の一端部と前記第２ヒータ部の一端部を接続する接続部を備えており、
前記第１方向における前記第１ヒータ部の他端部と前記第２ヒータ部の他端部が、前記本体ケースに固定されており、
前記第１方向と直交する断面を視た状態で、前記第１ヒータ部の中心部と前記第２ヒータ部の中心部を通過する平面であって前記第１方向と平行な平面を第１対向面とし、前記第１ヒータ部と前記第２ヒータ部の間において前記第１対向面と直交する平面であって前記第１方向と平行な平面を第２対向面としたときに、
前記支持具が、
前記第１対向面を挟んで対向する第１の一対の突出部であって、前記第１ヒータ部の外周面に向かって突出する第１の一対の突出部と、
前記第２対向面を挟んで対向する第２の一対の突出部であって、一方の突出部が前記第１ヒータ部の外周面に向かって突出し、他方の突出部が前記第２ヒータ部の外周面に向かって突出する第２の一対の突出部を更に備えており、
前記第１の一対の突出部の一方の突出部が前記第１ヒータ部の外周面に接触している状態で、前記ヒータが膨張したとしても他方の突出部に対して前記第１ヒータ部が膨張可能なスペースが存在しており、
前記第２の一対の突出部の一方の突出部が前記第１ヒータ部の外周面に接触している状態で、前記ヒータが膨張したとしても他方の突出部に対して前記第２ヒータ部が膨張可能なスペースが存在している、暖房機。
【請求項２】
前記第１ヒータ部が、前記第１の一対の突出部の一方の突出部が設けられている第１の一方の板状部材と、前記第１の一対の突出部の他方の突出部が設けられている第１の他方の板状部材によって囲まれており、
前記第１ヒータ部と前記第２ヒータ部が、前記第２の一対の突出部の一方の突出部が設けられている第２の一方の板状部材と、前記第２の一対の突出部の他方の突出部が設けられている第２の他方の板状部材によって囲まれている、請求項１に記載の暖房機。
【請求項３】
前記第１の一対の突出部のそれぞれが前記第１ヒータ部に向かって凸になるように湾曲しており、
前記第２の一対の突出部の一方の突出部が前記第１ヒータ部に向かって凸になるように湾曲しており、他方の突出部が前記第２ヒータ部に向かって凸になるように湾曲している、請求項１又は２に記載の暖房機。
【請求項４】
前記ヒータが前記第１方向に沿って前記支持具に差し込まれるときに前記第１ヒータ部と前記第２ヒータ部を案内するための案内部材を更に備えており、
前記案内部材が、前記第１ヒータ部と前記第２ヒータ部から離れる方向に広がりながら前記第１方向に延びている、請求項１から３のいずれか一項に記載の暖房機。
【請求項５】
鉛直方向に延びている第１板状部材と、
前記第１板状部材に直交しており、鉛直方向に延びている第２板状部材と、
前記第１板状部材と前記第２板状部材に直交しており、水平方向に延びている第３板状部材を更に備えており、
前記第１板状部材と前記第２板状部材が鉛直方向に延びる第１接続部で接続されており、前記第２板状部材と前記第３板状部材が水平方向に延びる第２接続部で接続されており、
前記第１ヒータ部と前記第２ヒータ部の鉛直方向下方に前記第３板状部材が配置されている、請求項１から４のいずれか一項に記載の暖房機。
【発明の詳細な説明】
【技術分野】
【０００１】
本明細書で開示する技術は、暖房機に関する。
【背景技術】
【０００２】
特許文献１に開示されている暖房機は、ヒータと、ヒータを支持する支持具を備えている。ヒータは、第１方向に延びている第１ヒータ部と、第１方向に延びており第１方向に直交する第２方向において第１ヒータ部と並んでいる第２ヒータ部を備えている。支持具には長穴が形成されており、その長穴に第１ヒータ部と第２ヒータ部が挿入されて支持されている。
【先行技術文献】
【特許文献】
【０００３】
【特許文献１】特開平５−３１５０５２号公報
【発明の概要】
【発明が解決しようとする課題】
【０００４】
暖房機のヒータが発熱すると、その熱によってヒータが膨張することがある。そうすると、ヒータの膨張によってヒータとそれを支持する支持具とが擦れあって、不快な音が発生することがある。そこで本明細書では、ヒータを確実に支持しつつ、ヒータが発熱によって膨張したとしても音が発生することを抑制できる技術を提供する。
【課題を解決するための手段】
【０００５】
本明細書が開示する暖房機は、本体ケースと、前記本体ケース内に配置されているヒータと、前記本体ケース内で前記ヒータを支持する支持具を備えている。この暖房機では、前記ヒータが、第１方向に延びている第１ヒータ部と、前記第１方向に延びており前記第１方向に直交する第２方向において前記第１ヒータ部と並んでいる第２ヒータ部と、前記第１方向における前記第１ヒータ部の一端部と前記第２ヒータ部の一端部を接続する接続部を備えている。また、前記第１方向における前記第１ヒータ部の他端部と前記第２ヒータ部の他端部が、前記本体ケースに固定されている。また、前記第１方向と直交する断面を視た状態で、前記第１ヒータ部の中心部と前記第２ヒータ部の中心部を通過する平面であって前記第１方向と平行な平面を第１対向面とし、前記第１ヒータ部と前記第２ヒータ部の間において前記第１対向面と直交する平面であって前記第１方向と平行な平面を第２対向面としたときに、前記支持具が、前記第１対向面を挟んで対向する第１の一対の突出部と、前記第２対向面を挟んで対向する第２の一対の突出部を更に備えている。前記第１の一対の突出部は、前記第１ヒータ部の外周面に向かって突出する。前記第２の一対の突出部のうち、一方の突出部が前記第１ヒータ部の外周面に向かって突出し、他方の突出部が前記第２ヒータ部の外周面に向かって突出する。前記第１の一対の突出部の一方の突出部が前記第１ヒータ部の外周面に接触している状態で、前記ヒータが膨張したとしても他方の突出部に対して前記第１ヒータ部が膨張可能なスペースが存在している。前記第２の一対の突出部の一方の突出部が前記第１ヒータ部の外周面に接触している状態で、前記ヒータが膨張したとしても他方の突出部に対して前記第２ヒータ部が膨張可能なスペースが存在している。
【０００６】
この構成によれば、第１ヒータ部の他端部と第２ヒータ部の他端部が本体ケースに固定されており、その第１ヒータ部と第２ヒータ部が支持具によって支持されているので、ヒータを確実に支持することができる。また、第１の一対の突出部の一方の突出部が第１ヒータ部の外周面に接触している状態で、ヒータが膨張したとしても他方の突出部に対して第１ヒータ部が膨張可能なスペースが存在しているので、ヒータを確実に支持しつつも、ヒータと第１の一対の突出部が過度に押圧された状態で接触することを抑制できる。また、第２の一対の突出部の一方の突出部が第１ヒータ部の外周面に接触している状態で、ヒータが膨張したとしても他方の突出部に対して第２ヒータ部が膨張可能なスペースが存在しているので、ヒータを確実に支持しつつも、ヒータと第２の一対の突出部が過度に押圧された状態で接触することを抑制できる。これによって、ヒータが発熱して膨張したときに、ヒータと第１の一対の突出部及び第２の一対の突出部とが強い力で擦れ合うことを抑制できる。そのため、ヒータが発熱によって膨張したとしても不快な音が発生することを抑制できる。
【０００７】
上記の暖房機では、前記第１ヒータ部が、前記第１の一対の突出部の一方の突出部が設けられている第１の一方の板状部材と、前記第１の一対の突出部の他方の突出部が設けられている第１の他方の板状部材によって囲まれていてもよい。また、前記第１ヒータ部と前記第２ヒータ部が、前記第２の一対の突出部の一方の突出部が設けられている第２の一方の板状部材と、前記第２の一対の突出部の他方の突出部が設けられている第２の他方の板状部材によって囲まれていてもよい。
【０００８】
この構成によれば、第１ヒータ部が第１の一方の板状部材と他方の板状部材によって囲まれ、第１ヒータ部と第２ヒータ部が第２の一方の板状部材と他方の板状部材によって囲まれているので、これらの板状部材によってヒータを保護することができる。
【０００９】
上記の暖房機では、前記第１の一対の突出部のそれぞれが前記第１ヒータ部に向かって凸になるように湾曲していてもよい。また、前記第２の一対の突出部の一方の突出部が前記第１ヒータ部に向かって凸になるように湾曲しており、他方の突出部が前記第２ヒータ部に向かって凸になるように湾曲していてもよい。
【００１０】
この構成によれば、各突出部が湾曲しているので、各突出部とヒータが擦れあう部分を少なくすることができ、ヒータが発熱して膨張したときに不快な音が発生することを更に抑制できる。
【００１１】
上記の暖房機は、前記ヒータが前記第１方向に沿って前記支持具に差し込まれるときに前記第１ヒータ部と前記第２ヒータ部を案内するための案内部材を更に備えていてもよい。前記案内部材が、前記第１ヒータ部と前記第２ヒータ部から離れる方向に広がりながら前記第１方向に延びていてもよい。
【００１２】
この構成によれば、ヒータを支持具にスムーズに差し込むことができる。例えば、暖房機を製造するときには、暖房機の本体ケースの内部に予め支持具を固定しておき、その状態でヒータを本体ケースの内部に入れ、固定されている支持具にヒータを差し込むことがある。このような場合には、ヒータを支持具に差し込むことが難しくなるが、案内部材によってヒータが案内されることによって、ヒータを支持具にスムーズに差し込むことができる。案内部材が第１ヒータ部と第２ヒータ部から離れる方向に広がりながら第１方向に延びているので、ヒータを第１方向に沿って支持具に差し込むときに、スムーズに差し込むことができる。
【００１３】
上記の暖房機は、鉛直方向に延びている第１板状部材と、前記第１板状部材に直交しており、鉛直方向に延びている第２板状部材と、前記第１板状部材と前記第２板状部材に直交しており、水平方向に延びている第３板状部材を更に備えていてもよい。前記第１板状部材と前記第２板状部材が鉛直方向に延びる第１接続部で接続されており、前記第２板状部材と前記第３板状部材が水平方向に延びる第２接続部で接続されていてもよい。前記第１ヒータ部と前記第２ヒータ部の鉛直方向下方に前記第３板状部材が配置されていてもよい。
【００１４】
この構成によれば、第１板状部材が暖房機の本体ケースに固定されたときに、鉛直方向の荷重に対する支持具の強度を高めることができるので、仮にヒータが鉛直方向に落下したとしても、ヒータを確実に支持することができる。例えば、第１板状部材が暖房機の本体ケースに固定された状態で、ヒータが鉛直方向に落下すると、水平方向に延びる第３板状部材の上にヒータが落下するので、第３板状部材に鉛直方向の荷重が作用する。このとき、第３板状部材が第２板状部材を介して第１板状部材に接続されているので、第３板状部材と第２板状部材の接続部分（第２接続部）にはそれほど大きな応力が作用せず、第２板状部材と第１板状部材の接続部分（第１接続部）に比較的大きな応力が作用することになる。その結果、鉛直方向に延びる第１接続部（第２板状部材と第１板状部材の接続部分）によって荷重を受け持つことによって、支持具の強度を高めることができる。ヒータが第３板状部材の上に落下したときに、第３板状部材が鉛直方向下方に変位する量を抑制できる。
【図面の簡単な説明】
【００１５】
【図１】実施例に係る温風暖房機２の斜視図である。
【図２】図１のII−II線に沿った断面図である。
【図３】図１のIII−III線に沿った断面図である。
【図４】図２の破線IV部の拡大図である。
【図５】図３の破線V部の拡大図である。
【図６】実施例に係る支持具５の斜視図である。
【図７】実施例に係る第１電気ヒータ２０又は第２電気ヒータ３０の平面図である。
【図８】他の実施例に係る第１方向Ｄ１と直交する断面を視た状態での第１電気ヒータ２０と第１ヒータ支持部５０１（又は、第２電気ヒータ３０と第２ヒータ支持部５０２）の模式図である。
【図９】更に他の実施例に係る第１方向Ｄ１と直交する断面を視た状態での第１電気ヒータ２０と第１ヒータ支持部５０１（又は、第２電気ヒータ３０と第２ヒータ支持部５０２）の模式図である。
【図１０】他の実施例に係る第１電気ヒータ２０又は第２電気ヒータ３０の斜視図である。
【発明を実施するための形態】
【００１６】
［第１実施例］
図面を参照して実施例に係る温風暖房機２について説明する。以下の説明では、図１に示すようにＸ方向とＹ方向とＺ方向を定義する。Ｘ方向とＹ方向とＺ方向は、互いに直交している。Ｘ方向とＹ方向は、水平方向に対応する。Ｚ方向は、鉛直方向に対応する。Ｘ方向は、温風暖房機２の左右方向に対応する。Ｙ方向は、温風暖房機２の前後方向に対応する。Ｚ方向は、温風暖房機２の上下方向に対応する。
【００１７】
図１に示すように、温風暖房機２は、天板１２と、前板１４と、後板１６と、左右の外側側板１８と、底板１７と、で構成される本体ケース１０を備えている。後板１６と左右の外側側板１８は、一体的に成形されている。前板１４の下部に、温風暖房機２によって暖められた空気を吹き出す吹出口１４ａが設けられている。天板１２には、操作パネル１２ａが設けられている。ユーザは、操作パネル１２ａを操作することによって、温風暖房機２の運転モード、設定温度などを設定することができる。また、本体ケース１０内には、温風暖房機２の動作を制御する制御装置１００が収容されている。
【００１８】
図２に示すように、後板１６の上部には、室内の空気を取り入れる取入口１６ａが設けられている。取入口１６ａの後方側には、本体ケース１０内への埃などの侵入を防止するフィルタユニット１３が着脱可能に取り付けられている。
【００１９】
本体ケース１０内には、燃焼部８０と、送風ファン２４と、第１電気ヒータ２０と、第２電気ヒータ３０と、支持具５が設けられている。以下では、第１電気ヒータ２０及び第２電気ヒータ３０を総称して、「電気ヒータ」と呼ぶ場合がある。本体ケース１０内の燃焼部８０は、取入口１６ａの前方側に設けられている。燃焼部８０には、バーナ８２が設けられている。バーナ８２は、燃料供給路（図示省略）に接続されており、燃料供給路から燃料ガスが供給されるように構成されている。送風ファン２４は、燃焼部８０の下方に設けられている。電気ヒータは、送風ファン２４と吹出口１４ａの間に設けられている。バーナ８２、送風ファン２４、及び、電気ヒータの動作は、制御装置１００によって制御される。また、図３に示すように、本体ケース１０内には、左右の内側側板１９が設けられている。一対の内側側板１９は、外側側板１８より内側に配置されている。送風ファン２４の左右両側に内側側板１９が配置されている。左の内側側板１９と右の内側側板１９の間に送風ファン２４が配置されている。各内側側板１９は、温風暖房機２の上下方向（Ｚ方向）に延びている。
【００２０】
次いで、図２を参照して、本体ケース１０内に形成されている複数の空気通路４０、４２、４４、４６、４８、９０、９２、及び、本体ケース１０内を流れる空気の流れについて説明する。空気通路４０、４２、４４、４６、４８は、燃焼部８０に形成されている空気通路である。送風ファン２４を動作させると、室内の空気が取入口１６ａを介して第１の空気通路４０、第２の空気通路４２、第３の空気通路４４、及び、第６の空気通路９０に取り込まれる。矢印Ｃに示すように、第３の空気通路４４に取り込まれた空気はバーナ８２に導かれる。この場合に、バーナ８２を点火すると、燃焼用一次空気吸込口（図示省略）から吸込まれる空気と矢印Ｃに示すように導かれた空気によって、燃料ガスが燃焼される。この燃焼によって生じた燃焼ガスは、矢印Ｅに示すように排出される。そして、矢印Ｂに示す第２の空気通路４２に取り込まれた空気と、矢印Ｅに示す燃焼ガスが、第４の空気通路４６で混合される。さらに、矢印Ａに示す第１の空気通路４０に取り込まれた空気と第４の空気通路４６で混合された空気が、第５の空気通路４８で混合される。第６の空気通路９０は、第３の空気通路４４の下方に形成されており、燃焼部８０を介することなく、送風ファン２４に連通している。第５の空気通路４８で混合された空気は、矢印Ｄに示す第６の空気通路９０に取り込まれた空気と混合され、送風ファン２４を介して、第７の空気通路９２に導入される。第７の空気通路９２は、送風ファン２４と吹出口１４ａを連通する空気通路である。矢印Ｇに示すように、第７の空気通路９２に導入される空気は、吹出口１４ａから吹き出される。なお、矢印Ｇは、第７の空気通路９２の中心経路であり、通過する空気量が一番多い経路である。送風ファン２４によって吹出口１４ａに送られた空気の一部は、矢印Ｈに示すように、上方に巻き上げられて、電気ヒータに接触する。電気ヒータが配置されている部分では、巻き上げられた空気の渦が形成される。巻き上げられた空気と電気ヒータが接触することによって、空気が加熱される。電気ヒータによって加熱された空気は、矢印Ｊに示すように、再び送風ファン２４によって送風され、矢印Ｇに示すように、吹出口１４ａに向けて流れてゆく。
【００２１】
次に、電気ヒータ（第１電気ヒータ２０及び第２電気ヒータ３０）と支持具５について説明する。図２及び図３に示すように、温風暖房機２は、本体ケース１０内に配置されている電気ヒータ（第１電気ヒータ２０及び第２電気ヒータ３０）と、本体ケース１０内で電気ヒータを支持する支持具５を備えている。電気ヒータと支持具５は、送風ファン２４の中心部より前方に配置されている。電気ヒータと支持具５は、送風ファン２４の中心部より下方に配置されている。また、電気ヒータと支持具５は、吹出口１４ａの上端部より上方に配置されている。電気ヒータは、送風ファン２４によって送風される空気を加熱する。支持具５は、本体ケース１０内の内側側板１９に着脱可能に固定されている。
【００２２】
図４から図６に示すように、支持具５は、第１電気ヒータ２０を支持する第１ヒータ支持部５０１と、第２電気ヒータ３０を支持する第２ヒータ支持部５０２を備えている。第２電気ヒータ３０は、第１電気ヒータ２０に対して傾斜している。第２ヒータ支持部５０２は、第１ヒータ支持部５０１に対して傾斜している。以下の説明では、図４から図６に示すように第１方向Ｄ１と第２方向Ｄ２と第３方向Ｄ３を定義する。第１方向Ｄ１、第２方向Ｄ２及び第３方向Ｄ３は、第１電気ヒータ２０、第２電気ヒータ３０、第１ヒータ支持部５０１及び第２ヒータ支持部５０２に関する方向である。
【００２３】
図７に示すように、第１電気ヒータ２０は、略Ｕ字状の形状をしている。第１電気ヒータ２０は、通電によって発熱する。第１電気ヒータ２０は、第１ヒータ部２１と第２ヒータ部２２と接続部２３を備えている。第１ヒータ部２１と第２ヒータ部２２は、棒状に形成されている。接続部２３は、弧状に湾曲している。第１ヒータ部２１と第２ヒータ部２２は、第１方向Ｄ１に延びている。第１ヒータ部２１と第２ヒータ部２２は、第２方向Ｄ２に並んでいる。第１ヒータ部２１と第２ヒータ部２２と接続部２３は、一体的に形成されている。第１ヒータ部２１と第２ヒータ部２２の間に接続部２３が配置されている。第１ヒータ部２１と第２ヒータ部２２は、接続部２３を介して接続されている。接続部２３は、第１ヒータ部２１の第１方向Ｄ１の一端部（図７の左側端部）と、第２ヒータ部２２の第１方向Ｄ１の一端部（図７の左側端部）に接続されている。第１ヒータ部２１と第２ヒータ部２２と接続部２３は、通電によって発熱したときに膨張することがある。第１ヒータ部２１の第１方向Ｄ１の他端部（図７の右側端部）と、第２ヒータ部２２の第１方向Ｄ１の他端部（図７の右側端部）は、本体ケース１０内に配置されている内側側板１９に固定されている（図３参照）。第１ヒータ部２１の他端部（図３の右側端部）と第２ヒータ部２２の他端部（図３の右側端部）は、内側側板１９を介して本体ケース１０に固定されている。
【００２４】
第２電気ヒータ３０は、第１電気ヒータ２０と同様の構成を備えている。図７に示すように、第２電気ヒータ３０の第１ヒータ部３１と第２ヒータ部３２と接続部３３は、第１電気ヒータ２０の第１ヒータ部２１と第２ヒータ部２２と接続部２３と同様の構成を備えている。したがって、第２電気ヒータ３０の各構成（３１、３２、３３）の詳細な説明を省略する。
【００２５】
次に、電気ヒータ（第１電気ヒータ２０と第２電気ヒータ３０）を支持する支持具５について説明する。まず、第１ヒータ支持部５０１について説明する。図４から図６に示すように、支持具５の第１ヒータ支持部５０１は、第１電気ヒータ２０を支持している。第１ヒータ支持部５０１は、第１支持部５０と第２支持部６０を備えている。第１支持部５０は、第１電気ヒータ２０の第１ヒータ部２１を支持している。第１支持部５０は、第１電気ヒータ２０の第１ヒータ部２１を囲んでいる。
【００２６】
第１支持部５０は、第１部分５１と第２部分５２と第３部分５３を備えている。第１部分５１と第２部分５２と第３部分５３は、一体的に形成されている。第１部分５１の一方側に第２部分５２が固定されており、第１部分５１の他方側に第３部分５３が固定されている。第１部分５１と第２部分５２と第３部分５３によって第１電気ヒータ２０の第１ヒータ部２１が囲まれている。
【００２７】
第１部分５１は、板状に形成されている。第１部分５１は、第２方向Ｄ２において第１ヒータ部２１の外側（第２ヒータ部２２とは反対側）に配置されている。第１部分５１は、突出部５４ａを備えている。第１部分５１の第１ヒータ部２１側の表面に突出部５４ａが設けられている。
【００２８】
第２部分５２は、板状に形成されている。第２部分５２は、第３方向Ｄ３において第１ヒータ部２１の一方側（第３部分５３と反対側）に配置されている。第２部分５２は、鉛直方向において第１ヒータ部２１の下側に配置されている。第２部分５２は、突出部５４ｂを備えている。第２部分５２の第１ヒータ部２１側の表面に突出部５４ｂが設けられている。
【００２９】
第３部分５３は、板状に形成されている。第３部分５３は、第３方向Ｄ３において第１ヒータ部２１の他方側（第２部分５２と反対側）に配置されている。第３部分５３は、鉛直方向において第１ヒータ部２１の上側に配置されている。第３部分５３は、突出部５４ｃを備えている。第３部分５３の第１ヒータ部２１側の表面に突出部５４ｃが設けられている。第２部分５２と第３部分５３の間に第１電気ヒータ２０の第１ヒータ部２１が配置されている。第２部分５２と第３部分５３によって第１電気ヒータ２０の第１ヒータ部２１が囲まれている。板状の第２部分５２は、第１の一方の板状部材の一例である。また、板状の第３部分５３は、第１の他方の板状部材の一例である。第１の一方の板状部材と第１の他方の板状部材によって第１ヒータ部２１が囲まれている。
【００３０】
第１部分５１と第２部分５２と第３部分５３の突出部５４ａ、５４ｂ、５４ｃは、第１ヒータ部２１に向かって突出している。各突出部５４ａ、５４ｂ、５４ｃの先端部５５ａ、５５ｂ、５５ｃは、第１ヒータ部２１に向かって凸になるように湾曲している。複数の突出部５４ａ、５４ｂ、５４ｃの先端部５５ａ、５５ｂ、５５ｃの少なくとも１個が第１ヒータ部２１に接触する。第１部分５１と第２部分５２と第３部分５３の突出部５４ａ、５４ｂ、５４ｃの全てが同時に第１ヒータ部２１に接触することはない。すなわち、複数の突出部５４ａ、５４ｂ、５４ｃの先端部５５ａ、５５ｂ、５５ｃの少なくとも１個が第１ヒータ部２１と非接触になる。
【００３１】
第１ヒータ支持部５０１の第２支持部６０は、上記の第１支持部５０と同様の構成であるが、以下に確認的に説明する。第１ヒータ支持部５０１の第２支持部６０は、第１部分６１と第２部分６２と第３部分６３を備えている。第１部分６１と第２部分６２と第３部分６３は、一体的に形成されている。第１部分６１の一方側に第２部分６２が固定されており、第１部分６１の他方側に第３部分６３が固定されている。第１部分６１と第２部分６２と第３部分６３によって第１電気ヒータ２０の第２ヒータ部２２が囲まれている。
【００３２】
第１部分６１は、板状に形成されている。第１部分６１は、第２方向Ｄ２において第２ヒータ部２２の外側（第１ヒータ部２１とは反対側）に配置されている。第１部分６１は、突出部６４ａを備えている。第１部分６１の第２ヒータ部２２側の表面に突出部６４ａが設けられている。また、第２支持部６０の第１部分６１と上記の第１支持部５０の第１部分５１とによって、第１電気ヒータ２０の第１ヒータ部２１と第２ヒータ部２２が囲まれている。上記の板状の第１部分５１は、第２の一方の板状部材の一例である。また、板状の第１部分６１は、第２の他方の板状部材の一例である。第２の一方の板状部材と第２の他方の板状部材によって第１ヒータ部２１と第２ヒータ部２２が囲まれている。
【００３３】
第２部分６２は、板状に形成されている。第２部分６２は、第３方向Ｄ３において第２ヒータ部２２の一方側（第３部分６３と反対側）に配置されている。第２部分６２は、鉛直方向において第２ヒータ部２２の下側に配置されている。第２部分６２は、突出部６４ｂを備えている。第２部分６２の第２ヒータ部２２側の表面に突出部６４ｂが設けられている。
【００３４】
第３部分６３は、板状に形成されている。第３部分６３は、第３方向Ｄ３において第２ヒータ部２２の他方側（第２部分６２と反対側）に配置されている。第３部分６３は、鉛直方向において第２ヒータ部２２の上側に配置されている。第３部分６３は、突出部６４ｃを備えている。第３部分６３の第２ヒータ部２２側の表面に突出部６４ｃが設けられている。第２部分６２と第３部分６３の間に第１電気ヒータ２０の第２ヒータ部２２が配置されている。第２部分６２と第３部分６３によって第１電気ヒータ２０の第２ヒータ部２２が囲まれている。
【００３５】
第１部分６１と第２部分６２と第３部分６３の突出部６４ａ、６４ｂ、６４ｃは、第２ヒータ部２２に向かって突出している。各突出部６４ａ、６４ｂ、６４ｃの先端部６５ａ、６５ｂ、６５ｃは、第２ヒータ部２２に向かって凸になるように湾曲している。複数の突出部６４ａ、６４ｂ、６４ｃの先端部６５ａ、６５ｂ、６５ｃの少なくとも１個が第２ヒータ部２２に接触する。第１部分６１と第２部分６２と第３部分６３の突出部６４ａ、６４ｂ、６４ｃの全てが同時に第２ヒータ部２２に接触することはない。すなわち、複数の突出部６４ａ、６４ｂ、６４ｃの先端部６５ａ、６５ｂ、６５ｃの少なくとも１個が第２ヒータ部２２と非接触になる。
【００３６】
第１ヒータ支持部５０１の構成について更に説明する。まず、図４に示すように、第１方向Ｄ１と直交する断面を視た状態で、第１ヒータ部２１の中心部２１ｃと第２ヒータ部２２の中心部２２ｃを通過する平面であって第１方向Ｄ１と平行な平面を第１対向面Ｐ１と仮定する。第１対向面Ｐ１は、仮想的な平面である。第１対向面Ｐ１は、第１支持部５０の第２部分５２と第３部分５３の間に位置している。また、第１対向面Ｐ１は、第２支持部６０の第２部分６２と第３部分６３の間に位置している。第１対向面Ｐ１は、第２方向Ｄ２と平行な平面である。
【００３７】
上記のように第１対向面Ｐ１を仮定すると、第１ヒータ支持部５０１は、第１対向面Ｐ１を挟んで対向する第１の一対の突出部５４ｂ、５４ｃを備えている。第１の一対の突出部５４ｂ、５４ｃのうち、一方の突出部５４ｂが第１対向面Ｐ１の一方側（図４の下側）に配置されており、他方の突出部５４ｃが第１対向面Ｐ１の他方側（図４の上側）に配置されている。第１の一対の突出部５４ｂ、５４ｃは、第１ヒータ部２１の外周面に向かって突出している。第１の一対の突出部５４ｂ、５４ｃが第１ヒータ部２１を囲んでいる。
【００３８】
また、第１方向Ｄ１と直交する断面を視た状態で、第１ヒータ部２１と第２ヒータ部２２の間において第１対向面Ｐ１と直交する平面であって第１方向Ｄ１と平行な平面を第２対向面Ｐ２と仮定する。第２対向面Ｐ２は、仮想的な平面である。第２対向面Ｐ２は、第１支持部５０の第１部分５１と第２支持部６０の第１部分６１の間に位置している。第２対向面Ｐ２は、第３方向Ｄ３と平行な平面である。
【００３９】
上記のように第２対向面Ｐ２を仮定すると、第１ヒータ支持部５０１は、第２対向面Ｐ２を挟んで対向する第２の一対の突出部５４ａ、６４ａを備えている。第２の一対の突出部５４ａ、６４ａのうち、一方の突出部５４ａが第２対向面Ｐ２の一方側（図４の左側）に配置されており、他方の突出部６４ａが第２対向面Ｐ２の他方側（図４の右側）に配置されている。一方の突出部５４ａは、第１ヒータ部２１の外周面に向かって突出している。他方の突出部６４ａは、第２ヒータ部２２の外周面に向かって突出している。第２の一対の突出部５４ａ、６４ａは、第１電気ヒータ２０を囲んでいる。
【００４０】
上記の温風暖房機２では、第１電気ヒータ２０が発熱すると、第１ヒータ部２１と第２ヒータ部２２が図４に仮想線Ｒで示すように膨張することがある。このとき、上記の第１ヒータ支持部５０１では、第１の一対の突出部５４ｂ、５４ｃの一方の突出部５４ｂ（図４では下側の突出部５４ｂ）が第１ヒータ部２１の外周面に接触している状態で、第１電気ヒータ２０が膨張したとしても、他方の突出部５４ｃ（図４では上側の突出部５４ｃ）に対して第１ヒータ部２１が膨張可能なスペースＳ１が存在している。第１ヒータ部２１と上側の突出部５４ｃの間にスペースＳ１が存在している。上側の突出部５４ｃによって第１ヒータ部２１が過度に押え付けられることがない。
【００４１】
また、上記の第１ヒータ支持部５０１では、第２の一対の突出部５４ａ、６４ａの一方の突出部５４ａ（図４では左側の突出部５４ａ）が第１ヒータ部２１の外周面に接触している状態で、第１電気ヒータ２０が膨張したとしても、他方の突出部６４ａ（図４では右側の突出部６４ａ）に対して第２ヒータ部２２が膨張可能なスペースＳ２が存在している。第２ヒータ部２２と右側の突出部６４ａの間にスペースＳ２が存在している。右側の突出部６４ａによって第２ヒータ部２２が過度に押え付けられることがない。
【００４２】
次に、第２ヒータ支持部５０２について説明する。支持具５の第２ヒータ支持部５０２は、上記の第１ヒータ支持部５０１と同様の構成を備えている。第２ヒータ支持部５０２と第２電気ヒータ３０の関係は、第１ヒータ支持部５０１と第１電気ヒータ２０の関係と同様である。したがって、第１ヒータ支持部５０１と同様の構成については詳細な説明を省略し、第１ヒータ支持部５０１と相違する構成について以下に説明する。
【００４３】
支持具５の第２ヒータ支持部５０２は、第１ヒータ支持部５０１に対して傾斜している。第２ヒータ支持部５０２には、案内部材７０が固定されている。案内部材７０は、第２ヒータ支持部５０２の第１支持部５０の第２部分５２と、第２支持部６０の第２部分６２に固定されている。第２ヒータ支持部５０２の第１支持部５０の第２部分５２と、第２支持部６０の第２部分６２とは、一体的に形成されている。案内部材７０は、板状に形成されている。案内部材７０は、第２ヒータ支持部５０２に固定されている部分から、第３方向Ｄ３に広がりながら、第１方向Ｄ１に延びている。案内部材７０は、第２電気ヒータ３０の第１ヒータ部３１と第２ヒータ部３２から離れる方向に広がりながら第１方向Ｄ１に延びている。この案内部材７０は、第２電気ヒータ３０が第１方向Ｄ１に沿って支持具５に差し込まれるときに、第２電気ヒータ３０の第１ヒータ部３１と第２ヒータ部３２を案内するための構成である。第２電気ヒータ３０が案内部材７０によって案内され、支持具５の第２ヒータ支持部５０２に差し込まれる。
【００４４】
また、支持具５は、第１板状部材７１と第２板状部材７２と第３板状部材７３を備えている。第１板状部材７１と第２板状部材７２と第３板状部材７３は、一体的に形成されている。第１板状部材７１と第３板状部材７３の間に第２板状部材７２が形成されている。第１板状部材７１には、第２ヒータ支持部５０２が固定されている。第２板状部材７２と第３板状部材７３には、第１ヒータ支持部５０１が固定されている。
【００４５】
第１板状部材７１は、鉛直方向に延びている。第１板状部材７１は、Ｙ−Ｚ平面に沿うように配置されている。第１板状部材７１は、第１ヒータ支持部５０１に対する第２方向Ｄ２と第３方向Ｄ３によって形成される平面（Ｄ２−Ｄ３平面）に沿うように配置されている。
【００４６】
第２板状部材７２は、鉛直方向に延びている。第２板状部材７２は、Ｘ−Ｚ平面に沿うように配置されている。第２板状部材７２は、第１ヒータ支持部５０１に対する第１方向Ｄ１と第３方向Ｄ３によって形成される平面（Ｄ１−Ｄ３平面）に沿うように配置されている。第２板状部材７２は、第１板状部材７１に直交している。第２板状部材７２には、第１ヒータ支持部５０１の第１支持部５０の第１部分５１が形成されている。
【００４７】
第３板状部材７３は、水平方向に延びている。第３板状部材７３は、Ｘ−Ｙ平面に沿うように配置されている。第３板状部材７３は、第１ヒータ支持部５０１に対する第１方向Ｄ１と第２方向Ｄ２によって形成される平面（Ｄ１−Ｄ２平面）に沿うように配置されている。第３板状部材７３は、第１板状部材７１と第２板状部材７２に直交している。第３板状部材７３には、第１ヒータ支持部５０１の第１支持部５０の第２部分５２と、第２支持部６０の第２部分６２が形成されている。第１ヒータ支持部５０１の第１支持部５０の第２部分５２と、第２支持部６０の第２部分６２とは、第３板状部材７３よって一体的に形成されている。第３板状部材７３は、第１電気ヒータ２０の鉛直下方に配置されている。第３板状部材７３は、第１電気ヒータ２０の第１ヒータ部２１と第２ヒータ部２２の一方側（下側）に配置されている。第３板状部材７３は、第１電気ヒータ２０を支持している。第１電気ヒータ２０の第１ヒータ部２１と第２ヒータ部２２の下面が第３板状部材７３によって覆われている。
【００４８】
第１板状部材７１と第２板状部材７２は、第１接続部７４で接続されている。第１接続部７４は、鉛直方向に延びている。第２板状部材７２と第３板状部材７３は、第２接続部７５で接続されている。第２接続部７５は、水平方向に延びている。
【００４９】
また、第１板状部材７１には、支持孔７７が形成されている。支持孔７７には、本体ケース１０内の内側側板１９に形成されている支持突起７６が係合する。第１板状部材７１の支持孔７７に支持突起７６が挿入される。これによって、支持具５が本体ケース１０内の内側側板１９に仮固定される。その後、ネジ７８によって支持具５が内側側板１９に本固定される。
【００５０】
上記の温風暖房機２では、送風ファン２４が動作すると、本体ケース１０外の空気（室内の空気）が本体ケース１０内に取り入れられる。本体ケース１０内に取り入れられた空気は、バーナ８２及び電気ヒータによって加熱される。加熱された空気は、送風ファン２４によって吹出口１４ａに送風され、吹出口１４ａから本体ケース１０外（室内）に吹き出される。
【００５１】
以上、実施例に係る温風暖房機２について説明した。上記の温風暖房機２では、電気ヒータの第１ヒータ部２１（３１）の端部と第２ヒータ部２２（３２）の端部が本体ケース１０に固定されている。また、電気ヒータを支持する支持具５が、第１対向面Ｐ１を挟んで対向する第１の一対の突出部５４ｂ、５４ｃと、第２対向面Ｐ２を挟んで対向する第２の一対の突出部５４ａ、６４ａを備えている。第１の一対の突出部５４ｂ、５４ｃは、第１ヒータ部２１（３１）の外周面に向かって突出している。第２の一対の突出部５４ａ、６４ａのうち、一方の突出部５４ａは第１ヒータ部２１（３１）の外周面に向かって突出し、他方の突出部６４ａは第２ヒータ部２２（３２）の外周面に向かって突出している。第１の一対の突出部５４ｂ、５４ｃの一方の突出部５４ｂ（又は５４ｃ）が第１ヒータ部２１（３１）の外周面に接触している状態で、電気ヒータが膨張したとしても他方の突出部５４ｃ（又は５４ｂ）に対して第１ヒータ部２１（３１）が膨張可能なスペースＳ１が存在している。また、第２の一対の突出部５４ａ、６４ａの一方の突出部５４ａが第１ヒータ部２１（３１）の外周面に接触している状態で、電気ヒータが膨張したとしても他方の突出部６４ａに対して第２ヒータ部２２（３２）が膨張可能なスペースＳ２が存在している。
【００５２】
この構成によれば、電気ヒータの端部が本体ケース１０に固定されており、その電気ヒータが支持具５によって支持されているので、電気ヒータを確実に支持することができる。また、仮に電気ヒータが発熱時に膨張したとしても、第１ヒータ部２１（３１）が膨張可能なスペースＳ１が存在しているので、第１ヒータ部２１（３１）と第１の一対の突出部５４ｂ、５４ｃが過度に押圧された状態で接触することを抑制できる。また、第２ヒータ部２２（３２）が膨張可能なスペースＳ２が存在しているので、第２ヒータ部２２（３２）と第２の一対の突出部５４ａ、６４ａが過度に押圧された状態で接触することを抑制できる。電気ヒータが膨張したとしても、それを逃がすためのスペースＳ１、Ｓ２を確保しておくことによって、電気ヒータと支持具５に過度な力が作用することを抑制できる。これによって、電気ヒータが発熱して膨張したときに、電気ヒータと第１の一対の突出部５４ｂ、５４ｃ及び第２の一対の突出部５４ａ、６４ａとが強い力で擦れ合うことを抑制できる。そのため、電気ヒータを確実に支持しつつ、電気ヒータが発熱によって膨張したとしても、電気ヒータと支持具５が擦れ合って不快な音が発生することを抑制できる。
【００５３】
また、上記の温風暖房機２では、第１ヒータ部２１（３１）が、第１の一対の突出部の一方の突出部５４ｂが設けられている板状の第２部分５２と、第１の一対の突出部の他方の突出部５４ｃが設けられている板状の第３部分５３とによって囲まれている。また、第１ヒータ部２１（３１）と第２ヒータ部２２（３２）が、第２の一対の突出部の一方の突出部５４ａが設けられている板状の第１部分５１と、第２の一対の突出部の他方の突出部６４ａが設けられている板状の第１部分６１とによって囲まれている。そのため、電気ヒータが板状部材によって覆われるので、電気ヒータを保護することができる。
【００５４】
また、上記の温風暖房機２では、第１の一対の突出部５４ｂ、５４ｃのそれぞれが第１ヒータ部２１（３１）に向かって凸になるように湾曲している。また、第２の一対の突出部５４ａ、６４ａの一方の突出部５４ａが第１ヒータ部２１（３１）に向かって凸になるように湾曲しており、他方の突出部６４ａが第２ヒータ部２２（３２）に向かって凸になるように湾曲している。そのため、各突出部と電気ヒータが接触する部分が少なくなり、両者が擦れ合う部分が少なくなる。よって、電気ヒータが膨張したときに、電気ヒータと各突出部が擦れ合って不快な音が発生することを抑制できる。
【００５５】
また、上記の温風暖房機２は、案内部材７０を備えている。案内部材７０は、第２電気ヒータ３０の第１ヒータ部３１と第２ヒータ部３２から離れる方向に広がりながら第１方向Ｄ１に延びている。案内部材７０は、第２電気ヒータ３０が第１方向Ｄ１に沿って支持具５に差し込まれるときに第１ヒータ部２１と第２ヒータ部２２を案内する。この構成によれば、第２電気ヒータ３０を支持具５にスムーズに差し込むことができる。例えば、温風暖房機２を製造するときには、温風暖房機２の本体ケース１０内の内側側板１９に支持具５を仮固定しておき、その状態で第２電気ヒータ３０を本体ケース１０内に入れ、仮固定されている支持具５に第２電気ヒータ３０を差し込むことがある。このような場合には、第２電気ヒータ３０を支持具５に差し込むことが難しくなるが、案内部材７０によって第２電気ヒータ３０が案内されることによって、第２電気ヒータ３０を支持具５にスムーズに差し込むことができる。案内部材７０が第２電気ヒータ３０の第１ヒータ部３１と第２ヒータ部３２から離れる方向に広がりながら第１方向Ｄ１に延びているので、第２電気ヒータ３０を第１方向Ｄ１に沿って支持具５に差し込むときに、スムーズに差し込むことができる。
【００５６】
また、上記の温風暖房機２は、第１板状部材７１と第２板状部材７２と第３板状部材７３を備えている。第１板状部材７１は、鉛直方向に延びている。第２板状部材７２は、第１板状部材７１に直交しており、鉛直方向に延びている。第３板状部材７３は、第１板状部材７１と第２板状部材７２に直交しており、水平方向に延びている。第１板状部材７１と第２板状部材７２が鉛直方向に延びる第１接続部７４で接続されており、第２板状部材７２と第３板状部材７３が水平方向に延びる第２接続部７５で接続されている。第１電気ヒータ２０の第１ヒータ部２１と第２ヒータ部２２の鉛直方向下方に第３板状部材７３が配置されている。
【００５７】
上記の温風暖房機２では、例えば、第１板状部材７１が温風暖房機２の本体ケース１０内の内側側板１９に固定された状態で、第１電気ヒータ２０が鉛直方向に落下すると、水平方向に延びる第３板状部材７３の上に第１電気ヒータ２０が落下するので、第３板状部材７３に鉛直方向の荷重が作用する。このとき、第３板状部材７３が第２板状部材７２を介して第１板状部材７１に接続されているので、第３板状部材７３と第２板状部材７２の接続部分（第２接続部７５）にはそれほど大きな応力が作用せず、第２板状部材７２と第１板状部材７１の接続部分（第１接続部７４）に比較的大きな応力が作用することになる。その結果、鉛直方向に延びる第１接続部７４（第２板状部材７２と第１板状部材７１の接続部分）によって荷重を受け持つことによって、支持具５の強度を高めることができる。鉛直方向の荷重に対する支持具５の強度を高めることができる。そのため、第１電気ヒータ２０が第３板状部材７３の上に落下したときに、第３板状部材７３が鉛直方向下方に変位する量を抑制できる。したがって、第１電気ヒータ２０を確実に支持することができる。  
【００５８】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００５９】
上記の実施例では、第１支持部５０の突出部５４ｂ、５４ｃを第１の一対の突出部として説明したが、これに限定されるものではなく、第２支持部６０の突出部６４ｂ、６４ｃを第１の一対の突出部として考えてもよい。
【００６０】
また、上記の実施例では、第１の一対の突出部のうち上側の突出部を一方の突出部とし、下側の突出部を他方の突出部として説明したが、一方と他方の関係は特に限定されるものではなく、互いに逆に考えてもよい。
【００６１】
また、上記の実施例では、第２の一対の突出部のうち左側の突出部を一方の突出部とし、右側の突出部を他方の突出部として説明したが、一方と他方の関係は特に限定されるものではなく、互いに逆に考えてもよい。また、電気ヒータの第１ヒータ部２１と第２ヒータ部２２における第１と第２の関係は特に限定されるものではなく、互いに逆に考えてもよい。
【００６２】
上記の実施例では、支持具５の第２ヒータ支持部５０２に案内部材７０が固定されていたが、この構成に限定されるものではなく、支持具５の第１ヒータ支持部５０１に案内部材７０が固定されていてもよい。第１ヒータ支持部５０１および／または第２ヒータ支持部５０２に案内部材７０が固定されている。また、案内部材７０を省略することもできる。
【００６３】
［第２実施例］
上記の実施例では、第１支持部５０が第３部分５３を備え、第２支持部６０が第３部分６３を備える構成であったが、この構成に限定されるものではない。他の実施例では、図８に示すように、第１支持部５０の第３部分５３と第２支持部６０の第３部分６３を省略することもできる。なお、図８では、支持具５のうち第１ヒータ支持部５０１の構成のみを示している。
【００６４】
他の実施例では、支持具５の第１ヒータ支持部５０１が、第１対向面Ｐ１を挟んで対向する第１の一対の突出部５４ａ、５４ｂを備えている。第１の一対の突出部５４ａ、５４ｂのうち、一方の突出部５４ｂが第１対向面Ｐ１の一方側（図８の下側）に配置されており、他方の突出部５４ａが第１対向面Ｐ１の他方側（図８の上側）に配置されている。第１の一対の突出部５４ａ、５４ｂは、第１ヒータ部２１の外周面に向かって突出している。第１の一対の突出部５４ａ、５４ｂが第１ヒータ部２１を囲んでいる。
【００６５】
また、第１ヒータ支持部５０１は、第２対向面Ｐ２を挟んで対向する第２の一対の突出部５４ａ、６４ａを備えている。第２の一対の突出部５４ａ、６４ａのうち、一方の突出部５４ａが第２対向面Ｐ２の一方側（図８の左側）に配置されており、他方の突出部６４ａが第２対向面Ｐ２の他方側（図８の右側）に配置されている。一方の突出部５４ａは、第１ヒータ部２１の外周面に向かって突出している。他方の突出部６４ａは、第２ヒータ部２２の外周面に向かって突出している。第２の一対の突出部５４ａ、６４ａは、第１電気ヒータ２０を囲んでいる。
【００６６】
上記の温風暖房機２では、第１電気ヒータ２０が発熱すると、第１ヒータ部２１と第２ヒータ部２２が図８に仮想線Ｒで示すように膨張することがある。このとき、上記の第１ヒータ支持部５０１では、第１の一対の突出部５４ａ、５４ｂの一方の突出部５４ｂ（図８では下側の突出部５４ｂ）が第１ヒータ部２１の外周面に接触している状態で、第１電気ヒータ２０が膨張したとしても、他方の突出部５４ａ（図８では上側の突出部５４ａ）に対して第１ヒータ部２１が膨張可能なスペースＳ３が存在している。第１ヒータ部２１と上側の突出部５４ａの間にスペースＳ３が存在している。上側の突出部５４ａによって第１ヒータ部２１が過度に押え付けられることがない。
【００６７】
また、上記の第１ヒータ支持部５０１では、第２の一対の突出部５４ａ、６４ａの一方の突出部５４ａ（図８では左側の突出部５４ａ）が第１ヒータ部２１の外周面に接触している状態で、第１電気ヒータ２０が膨張したとしても、他方の突出部６４ａ（図８では右側の突出部６４ａ）に対して第２ヒータ部２２が膨張可能なスペースＳ４が存在している。第２ヒータ部２２と右側の突出部６４ａの間にスペースＳ４が存在している。右側の突出部６４ａによって第２ヒータ部２２が過度に押え付けられることがない。
【００６８】
このような第２実施例の構成によっても、上記の第１実施例と同様に、電気ヒータを確実に支持しつつ、電気ヒータが発熱によって膨張したとしても音が発生することを抑制できる。
【００６９】
［第３実施例］
第１支持部５０の第３部分５３と第２支持部６０の第３部分６３を省略した構成は、上記の第２実施例に限定されるものではない。第３実施例では、図９に示すように、第３板状部材７３の両端部が屈曲している。支持具５の第１ヒータ支持部５０１は、第２対向面Ｐ２を挟んで対向する第２の一対の突出部５４ａ、６４ａを備えている。この第３実施例では、突出部５４ａと突出部６４ｂを第２の一対の突出部と考えてもよい。あるいは、突出部５４ｂと突出部６４ａを第２の一対の突出部と考えてもよい。第２の一対の突出部の一方の突出部（図９では左側の突出部５４ａ又は５４ｂ）が第１ヒータ部２１の外周面に接触している状態で、第１電気ヒータ２０が膨張したとしても、他方の突出部（図９では右側の突出部６４ａ又は６４ｂ）に対して第２ヒータ部２２が膨張可能なスペースＳ４又はＳ５が存在している。なお、図９では、支持具５のうち第１ヒータ支持部５０１の構成のみを示している。
【００７０】
このような第３実施例の構成によっても、上記の第２実施例と同様に、電気ヒータを確実に支持しつつ、電気ヒータが発熱によって膨張したとしても音が発生することを抑制できる。
【００７１】
また、電気ヒータの構成は、上記の実施例に限定されるものではない。他の実施例では、図１０に示すように、第１電気ヒータ２０の接続部２３がループ状に形成されていてもよい。
【００７２】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７３】
２      ：温風暖房機
５      ：支持具
１０    ：本体ケース
２０    ：第１電気ヒータ
２１    ：第１ヒータ部
２２    ：第２ヒータ部
２３    ：接続部
２４    ：送風ファン
３０    ：第２電気ヒータ
３１    ：第１ヒータ部
３２    ：第２ヒータ部
３３    ：接続部
５０    ：第１支持部
５１    ：第１部分
５２    ：第２部分
５３    ：第３部分
５４ａ−５４ｃ  ：突出部
５５ａ−５５ｃ  ：先端部
６０    ：第２支持部
６１    ：第１部分
６２    ：第２部分
６３    ：第３部分
６４ａ−６４ｃ  ：突出部
６５ａ−６５ｃ  ：先端部
７０    ：案内部材
７１    ：第１板状部材
７２    ：第２板状部材
７３    ：第３板状部材
７４    ：第１接続部
７５    ：第２接続部
７６    ：支持突起
７７    ：支持孔
５０１  ：第１ヒータ支持部
５０２  ：第２ヒータ支持部
【図１】
2019002619.tif 000003
【図２】
2019002619.tif 000004
【図３】
2019002619.tif 000005
【図４】
2019002619.tif 000006
【図５】
2019002619.tif 000007
【図６】
2019002619.tif 000008
【図７】
2019002619.tif 000009
【図８】
2019002619.tif 000010
【図９】
2019002619.tif 000011
【図１０】
2019002619.tif 000012